(57)【特許請求の範囲】
【請求項１】
液体燃料(５)がガス生成用燃料供給ポンプ(２)によりガス生成用燃料供給通路(１２)を介して可燃性ガス生成器(３)に供給され、可燃性ガス生成器(３)で液体燃料(５)から可燃性ガス(６)が生成され、可燃性ガス(６)がエンジン排気(７)に混入され、可燃性ガス(６)の燃焼熱によりエンジン排気(７)が昇温され、エンジン排気(７)の熱によりＤＰＦ(４)に堆積されたＰＭが焼却除去される排気処理装置を備えた、ディーゼルエンジンにおいて、
燃料タンク(１)の液体燃料(５)が燃料供給ポンプ(８)により燃料噴射ポンプ(９)に供給され、燃料噴射ポンプ(９)により液体燃料(５)が燃料噴射管(９ａ)を介して燃料噴射弁(１０)から噴射され、燃料噴射ポンプ(９)と燃料噴射弁(１０)からオーバーフローした液体燃料(５)が燃料還流通路(１１)により燃料タンク(１)に還流される燃料噴射装置を備え、
ガス生成用燃料供給通路(１２)は、燃料噴射ポンプ(９)や燃料噴射弁(１０)よりも燃料還流方向下流で、燃料還流通路(１１)から導出され、
ガス生成用燃料供給通路(１２)は下突形状部分(１２ａ)を備え、下突形状部分(１２ａ)は、燃料還流通路(１１)から下向きに導出された後、上向きに反転された下突形状とされ、下突形状部分(１２ａ)よりも燃料供給方向下流にガス生成用燃料供給ポンプ(２)が配置されている、ことを特徴とするディーゼルエンジン。
【請求項２】
請求項１に記載されたディーゼルエンジンにおいて、
下突形状部分(１２ａ)は燃料ドレイン装置(１３)を備えている、ことを特徴とするディーゼルエンジン。
【請求項３】
液体燃料(５)がガス生成用燃料供給ポンプ(２)によりガス生成用燃料供給通路(１２)を介して可燃性ガス生成器(３)に供給され、可燃性ガス生成器(３)で液体燃料(５)から可燃性ガス(６)が生成され、可燃性ガス(６)がエンジン排気(７)に混入され、可燃性ガス(６)の燃焼熱によりエンジン排気(７)が昇温され、エンジン排気(７)の熱によりＤＰＦ(４)に堆積されたＰＭが焼却除去される排気処理装置を備えた、ディーゼルエンジンにおいて、
燃料タンク(１)の液体燃料(５)が燃料供給ポンプ(８)により燃料噴射ポンプ(９)に供給され、燃料噴射ポンプ(９)により液体燃料(５)が燃料噴射管(９ａ)を介して燃料噴射弁(１０)から噴射され、燃料噴射ポンプ(９)と燃料噴射弁(１０)からオーバーフローした液体燃料(５)が燃料還流通路(１１)により燃料タンク(１)に還流される燃料噴射装置を備え、
ガス生成用燃料供給通路(１２)は、燃料噴射ポンプ(９)や燃料噴射弁(１０)よりも燃料還流方向下流で、燃料還流通路(１１)から導出され、
気液分離室(１４)を備え、気液分離室(１４)は、燃料噴射ポンプ(９)や燃料噴射弁(１０)よりも燃料還流方向下流で、燃料還流通路(１１)に設けられ、ガス生成用燃料供給通路(１２)は気液分離室(１４)の液体燃料溜め(１４ａ)から導出されている、ことを特徴とするディーゼルエンジン。
【請求項４】
請求項３に記載されたディーゼルエンジンにおいて、
液体燃料溜め(１４ａ)は燃料ドレイン装置(１３)を備えている、ことを特徴とするディーゼルエンジン。
【請求項５】
請求項３または請求項４に記載されたディーゼルエンジンにおいて、
気液分離室(１４)は燃料導入通路(１５)と燃料ガイド通路(１６)を備え、燃料導入通路(１５)は液体燃料溜め(１４ａ)に向けて上り傾斜され、燃料ガイド通路(１６)は通路入口部(１６ａ)と通路中央部(１６ｂ)と通路出口部(１６ｃ)を備え、
通路入口部(１６ａ)は燃料導入通路(１５)の中心軸延長線(１５ａ)に沿って液体燃料溜め(１４ａ)から通路中央部(１６ｂ)に向けて上り傾斜し、通路出口部(１６ｃ)は通路中央部(１６ｂ)から液体燃料溜め(１４ａ)に向けて下り傾斜し、ガス生成用燃料供給通路(１２)は通路中央部(１６ｂ)から上向きに導出されている、ことを特徴とするディーゼルエンジン。
【請求項６】
請求項１から請求項５のいずれかに記載されたディーゼルエンジンにおいて、
ガス生成用燃料供給通路(１２)はガス生成用燃料供給ポンプ(２)の燃料入口(２ａ)に接続されたエア抜き装置(１７)を備えている、ことを特徴とするディーゼルエンジン。
【発明の詳細な説明】
【技術分野】
【０００１】
本発明は、ディーゼルエンジンに関し、詳しくは、ガス生成用燃料供給ポンプの燃料供給精度を高めることができるディーゼルエンジンに関する。
【背景技術】
【０００２】
従来、ディーゼルエンジンとして、液体燃料がガス生成用燃料供給ポンプによりガス生成用燃料供給通路を介して可燃性ガス生成器に供給され、可燃性ガス生成器で液体燃料から可燃性ガスが生成され、可燃性ガスがエンジン排気に混入され、可燃性ガスの燃焼熱によりエンジン排気が昇温され、エンジン排気の熱によりＤＰＦに堆積されたＰＭが焼却除去される排気処理装置を備えたものがある(例えば、特許文献１参照)。
【先行技術文献】
【特許文献】
【０００３】
【特許文献１】特開２００７−５１５８０号公報(図１，図２参照)
【発明の概要】
【発明が解決しようとする課題】
【０００４】
《問題点》  ガス生成用燃料供給ポンプの燃料供給精度が低くなることがある。
特許文献１のものでは、寒冷時には低温の液体燃料がガス生成用燃料供給ポンプに供給され、ガス生成用燃料供給ポンプでの液体燃料の高粘度化やワキシング(パラフィン成分の固化)で、ガス生成用燃料供給ポンプから可燃性ガス生成器への燃料供給量が変動し、ガス生成用燃料供給ポンプの燃料供給精度が低くなることがある。
【０００５】
本発明の課題は、ガス生成用燃料供給ポンプの燃料供給精度を高めることができるディーゼルエンジンを提供することにある。
【課題を解決するための手段】
【０００６】
(請求項１に係る発明と請求項３に係る発明に共通する発明特定事項)
図１，図２に例示するように、液体燃料(５)がガス生成用燃料供給ポンプ(２)によりガス生成用燃料供給通路(１２)を介して可燃性ガス生成器(３)に供給され、可燃性ガス生成器(３)で液体燃料(５)から可燃性ガス(６)が生成され、可燃性ガス(６)がエンジン排気(７)に混入され、可燃性ガス(６)の燃焼熱によりエンジン排気(７)が昇温され、エンジン排気(７)の熱によりＤＰＦ(４)に堆積されたＰＭが焼却除去される排気処理装置を備えた、ディーゼルエンジンにおいて、
図１，図２に例示するように、燃料タンク(１)の液体燃料(５)が燃料供給ポンプ(８)により燃料噴射ポンプ(９)に供給され、燃料噴射ポンプ(９)により液体燃料(５)が燃料噴射管(９ａ)を介して燃料噴射弁(１０)から噴射され、燃料噴射ポンプ(９)と燃料噴射弁(１０)からオーバーフローした液体燃料(５)が燃料還流通路(１１)により燃料タンク(１)に還流される燃料噴射装置を備え、
図１，図２に例示するように、ガス生成用燃料供給通路(１２)は、燃料噴射ポンプ(９)や燃料噴射弁(１０)よりも燃料還流方向下流で、燃料還流通路(１１)から導出されている。
(請求項１に係る発明に固有の発明特定事項)
図１に例示するように、ガス生成用燃料供給通路(１２)は下突形状部分(１２ａ)を備え、下突形状部分(１２ａ)は、燃料還流通路(１１)から下向きに導出された後、上向きに反転された下突形状とされ、下突形状部分(１２ａ)よりも燃料供給方向下流にガス生成用燃料供給ポンプ(２)が配置されている、ことを特徴とするディーゼルエンジン。
(請求項３に係る発明に固有の発明特定事項)
図２に例示するように、気液分離室(１４)を備え、気液分離室(１４)は、燃料噴射ポンプ(９)や燃料噴射弁(１０)よりも燃料還流方向下流で、燃料還流通路(１１)に設けられ、ガス生成用燃料供給通路(１２)は気液分離室(１４)の液体燃料溜め(１４ａ)から導出されている、ことを特徴とするディーゼルエンジン。
【発明の効果】
【０００７】
(請求項１に係る発明)
請求項１に係る発明は、次の効果を奏する。
《効果１−１》  ガス生成用燃料供給ポンプの燃料供給精度を高めることができる。
図１，図２に例示するように、ガス生成用燃料供給通路(１２)は、燃料噴射ポンプ(９)や燃料噴射弁(１０)よりも燃料還流方向下流で、燃料還流通路(１１)から導出されているので、寒冷時でも、ガス生成用燃料供給ポンプ(２)に供給される液体燃料(５)は、燃料噴射ポンプ(９)や燃料噴射弁(１０)を介してシリンダブロック(１８)やシリンダヘッド(１９)の熱で加温され、ガス生成用燃料供給ポンプ(２)での液体燃料(５)の高粘度化やワキシングが防止され、ガス生成用燃料供給ポンプ(２)から可燃性ガス生成器(３)への燃料供給量が変動する不具合が防止される。
また、燃料供給ポンプ(８)や燃料噴射ポンプ(９)による液体燃料(５)の脈動圧は燃料還流通路(１１)と燃料噴射弁(１０)とガス生成用燃料供給通路(１２)で減衰されるので、ガス生成用燃料供給ポンプ(２)が燃料供給ポンプ(８)や燃料噴射ポンプ(９)による液体燃料(５)の脈動圧の影響を受け難く、ガス生成用燃料供給ポンプ(２)から可燃性ガス生成器(３)への燃料供給量が変動する不具合が防止される。
これらの理由により、ガス生成用燃料供給ポンプ(２)の燃料供給精度を高めることができる。
【０００８】
《効果１−２》  ガス生成用燃料供給ポンプの燃料供給精度を高めることができる。
図１に例示するように、ガス生成用燃料供給通路(１２)は下突形状部分(１２ａ)を備え、下突形状部分(１２ａ)は、燃料還流通路(１１)から下向きに導出された後、上向きに反転された下突形状とされ、下突形状部分(１２ａ)よりも燃料供給方向下流にガス生成用燃料供給ポンプ(２)が配置されているので、ガス生成用燃料供給通路(１２)が長くなり、ガス生成用燃料供給通路(１２)の脈動圧の減衰効率が高く、ガス生成用燃料供給ポンプ(２)から可燃性ガス生成器(３)への燃料供給量が変動する不具合が防止される。
また、下突形状部分(１２ａ)で、燃料還流通路(１１)からの空気の進入が妨げられ、空気の進入で、ガス生成用燃料供給ポンプ(２)から可燃性ガス生成器(３)への燃料供給量が変動する不具合が防止される。
これらの理由により、ガス生成用燃料供給ポンプ(２)の燃料供給精度を高めることができる。
【０００９】
(請求項２に係る発明)
請求項２に係る発明は、請求項１に係る発明の効果に加え、次の効果を奏する。
《効果》  寒冷地でガス生成用燃料供給通路を液体燃料のワキシングや凍結で詰らせてしまう不具合を防止することができる。
図１に例示するように、下突形状部分(１２ａ)は燃料ドレイン装置(１３)を備えているので、ガス生成用燃料供給通路(１２)に溜まる液体燃料(５)を燃料ドレイン装置(１３)で排出することができ、エンジンを寒冷地仕様として出荷する場合、排気処理装置の出荷前試験で用いた通常温度仕様の液体燃料をガス生成用燃料供給通路(１２)に残留させてしまう不備が防止され、寒冷地でガス生成用燃料供給通路(１２)を液体燃料(５)のワキシングや凍結で詰らせてしまう不具合を防止することができる。
【００１０】
(請求項３に係る発明)
請求項３に係る発明は、請求項１に係る発明の効果１−１に加え、次の効果を奏する。
《効果》  ガス生成用燃料供給ポンプの燃料供給精度を高めることができる。
図２に例示するように、燃料供給ポンプ(８)や燃料噴射ポンプ(９)による液体燃料(５)の脈動圧は気液分離室(１４)でも減衰され、ガス生成用燃料供給ポンプ(２)が燃料供給ポンプ(８)や燃料噴射ポンプ(９)による液体燃料(５)の脈動圧の影響を受け難く、ガス生成用燃料供給ポンプ(２)から可燃性ガス生成器(３)への燃料供給量が変動する不具合が防止される。
また、気液分離室(１４)で液体燃料(５)に含まれる空気が分離され、空気が分離された液体燃料(５)が液体燃料溜め(１４ａ)からガス生成用燃料供給通路(１２)に流入するので、ガス生成用燃料供給通路(１２)の空気溜まりでガス生成用燃料供給ポンプ(２)から可燃性ガス生成器(３)への燃料供給量が変動する不具合が防止される。
これらの理由により、ガス生成用燃料供給ポンプ(２)の燃料供給精度を高めることができる。
【００１１】
(請求項４に係る発明)
請求項４に係る発明は、請求項３に係る発明の効果に加え、次の効果を奏する。
《効果》  寒冷地で液体燃料溜めが液体燃料のワキシングや凍結で閉塞してしまう不具合を防止することができる。
図２に例示するように、液体燃料溜め(１４ａ)は燃料ドレイン装置(１３)を備えているので、液体燃料溜め(１４ａ)に溜まる液体燃料(５)を燃料ドレイン装置(１３)で排出することができ、エンジンを寒冷地仕様として出荷する場合、排気処理装置の出荷前試験で用いた通常温度仕様の液体燃料が液体燃料溜め(１４ａ)に残留してしまう不備が防止され、寒冷地で液体燃料溜め(１４ａ)が液体燃料(５)のワキシングや凍結で閉塞してしまう不具合を防止することができる。
【００１２】
(請求項５に係る発明)
請求項５に係る発明は、請求項３または請求項４に係る発明の効果に加え、次の効果を奏する。
《効果》  ガス生成用燃料供給ポンプの燃料供給精度を高めることができる。
図３に例示するように、通路入口部(１６ａ)は燃料導入通路(１５)の中心軸延長線(１５ａ)に沿って液体燃料溜め(１４ａ)から通路中央部(１６ｂ)に向けて上り傾斜し、通路出口部(１６ｃ)は通路中央部(１６ｂ)から液体燃料溜め(１４ａ)に向けて下り傾斜し、ガス生成用燃料供給通路(１２)は通路中央部(１６ｂ)から上向きに導出されているので、寒冷時に燃料ガイド通路(１６)で液体燃料(５)のワキシングが起こっても、パラフィン成分は通路中央部(１６ｂ)から通路入口部(１６ａ)と通路出口部(１６ｃ)の傾斜に沿って自重で液体燃料溜め(１４ａ)に流出しやすく、通路中央部(１６ｂ)が詰りにくく、ガス生成用燃料供給ポンプ(２)から可燃性ガス生成器(３)への燃料供給量が変動する不具合が防止される。
また、通路中央部(１６ｂ)にパラフィン成分が詰っても、燃料導入通路(１５)から液体燃料溜め(１４ａ)に液体燃料(５)が導入されると、この液体燃料(５)が通路入口部(１６ａ)から通路中央部(１６ｂ)に押し込まれ、パラフィン成分に衝突し、パラフィン成分を分散させ、通路中央部(１６ｂ)の詰りが解消され、ガス生成用燃料供給ポンプ(２)から可燃性ガス生成器(３)への燃料供給量が変動する不具合が防止される。
これらの理由により、ガス生成用燃料供給ポンプ(２)の燃料供給精度を高めることができる。
【００１３】
(請求項６に係る発明)
請求項６に係る発明は、請求項１から請求項５のいずれかに係る発明の効果に加え、次の効果を奏する。
《効果》  ガス生成用燃料供給ポンプの燃料供給精度を高めることができる。
図１，図２に例示するように、ガス生成用燃料供給通路(１２)はガス生成用燃料供給ポンプ(２)の燃料入口(２ａ)に接続されたエア抜き装置(１７)を備えているので、エア抜き装置(１７)でエア抜きを行いながら、ガス生成用燃料供給ポンプ(２)の燃料入口(２ａ)までガス生成用燃料供給通路(１２)に液体燃料(５)を満たすことができ、ガス生成用燃料供給ポンプ(２)の空気溜まりでガス生成用燃料供給ポンプ(２)から可燃性ガス生成器(３)への燃料供給量が変動する不具合が防止され、ガス生成用燃料供給ポンプ(２)の燃料供給精度を高めることができる。
【図面の簡単な説明】
【００１４】
【図１】本発明の第１実施形態に係るディーゼルエンジンを説明する図である。
【図２】本発明の第２実施形態に係るディーゼルエンジンを説明する図である。
【図３】図２のエンジンで用いる気液分離室の変形例の説明図である。
【発明を実施するための形態】
【００１５】
図１は本発明の第１実施形態に係るディーゼルエンジンを説明する図、図２，図３は本発明の第２実施形態に係るディーゼルエンジンを説明する図であり、各実施形態では、立形の直列４気筒ディーゼルエンジンについて説明する。
【００１６】
まず、第１実施形態について説明する。
このエンジンは、排気処理装置を備えている。
図１に示すように、排気処理装置では、液体燃料(５)がガス生成用燃料供給ポンプ(２)によりガス生成用燃料供給通路(１２)を介して可燃性ガス生成器(３)に供給され、可燃性ガス生成器(３)で液体燃料(５)から可燃性ガス(６)が生成され、可燃性ガス(６)がエンジン排気(７)に混入され、可燃性ガス(６)の燃焼熱によりエンジン排気(７)が昇温され、エンジン排気(７)の熱によりＤＰＦ(４)に堆積されたＰＭが焼却除去される。
【００１７】
ガス生成用燃料供給ポンプ(２)は電動ポンプである。可燃性ガス生成器(３)は可燃性ガス生成触媒(３ａ)を備えている。可燃性ガス生成触媒(３ａ)は酸化触媒である。排気処理装置は、ブロワ(２０)、排気処理ケース(２１)、ＤＯＣ(２２)、制御装置(２３)、ＤＯＣ入口温度センサ(２４)、ＤＰＦ入口温度センサ(２５)、差圧センサ(２６)、着火装置(３０)を備えている。ブロワ(２０)は電動式ブロワであり、エンジンの吸気通路(２７)を空気供給源としている。排気処理ケース(２１)はエンジンの排気経路(２８)の途中に配置され、排気処理ケース(２１)内の排気方向上流側にはＤＯＣ(２２)が収容され、下流側にはＤＰＦ(４)が収容されている。ＤＯＣはディーゼル酸化触媒、ＤＰＦはディーゼル・パティキュレート・フィルタの略称である。制御装置(２３)はエンジンＥＣＵである。ＥＣＵは電子制御ユニットの略称であり、マイコンである。着火装置(３０)はグロープラグである。
【００１８】
制御装置(２３)には、上記各センサ(２４)(２５)(２６)とガス生成用燃料供給ポンプ(２)とブロワ(２０)と着火装置(３０)が電気的に接続され、上記各センサ(２４)(２５)(２６)からの検出信号が制御装置(２３)で受信され、検出信号に基づいて、ガス生成用燃料供給ポンプ(２)とブロワ(２０)と着火装置(３０)が制御装置(２３)で制御される。
具体的には、差圧センサ(２６)によるＤＰＦ(４)の入口と出口の差圧の検出に基づいて、制御装置(２３)がＤＰＦ(４)に堆積したＰＭ堆積量を推定し、このＰＭ堆積値が所定値に至ったら、制御装置(２３)の指令信号に基づいて、ガス生成用燃料供給ポンプ(２)とブロワ(２０)と着火装置(３０)が制御され、可燃性ガス生成器(３)に液体燃料(５)と空気(２９)が供給され、液体燃料(５)が可燃性ガス生成触媒(３ａ)で酸化され、可燃性ガス(６)となり、排気経路(２８)のエンジン排気(７)に混入され、可燃性ガス(６)はＤＯＣ(２２)で触媒燃焼され、この燃焼熱でエンジン排気(７)が昇温され、ＤＰＦ(４)に堆積したＰＭが焼却除去され、ＤＰＦ(４)が再生される。
【００１９】
なお、ＤＯＣ入口温度がＤＯＣ(２２)の活性化温度未満の場合には、着火装置(３０)で可燃性ガス(６)が着火され、可燃性ガス(６)の火炎燃焼でエンジン排気(７)が昇温され、ＤＯＣ入口温度がＤＯＣ(２２)の活性化温度になる。また、ＤＰＦ入口温度が所定のＰＭ焼却温度となるように、制御装置(２３)でガス生成用燃料供給ポンプ(２)とブロワ(２０)が制御され、可燃性ガス生成器(３)への液体燃料(５)と空気(２９)の供給量が調節される。また、可燃性ガス(６)はエンジン排気(７)中の酸素によって燃焼されるが、燃焼促進のため、可燃性ガス(６)にはブロワ(２０)から二次空気が供給される。
【００２０】
このエンジンは、燃料噴射装置を備えている。
図１に示すように、燃料噴射装置では、燃料タンク(１)の液体燃料(５)が燃料供給ポンプ(８)により燃料噴射ポンプ(９)に供給され、燃料噴射ポンプ(９)により液体燃料(５)が燃料噴射管(９ａ)を介して燃料噴射弁(１０)から噴射され、燃料噴射ポンプ(９)と燃料噴射弁(１０)からオーバーフローした液体燃料(５)が燃料還流通路(１１)により燃料タンク(１)に還流される。
【００２１】
燃料供給ポンプ(８)は、メカ式ポンプで、シリンダブロック(１８)に取り付けられ、燃料噴射カム軸(図示せず)のポンプカムで駆動される。燃料噴射ポンプ(９)はカム駆動式のプランジャ式列型ポンプで、シリンダブロック(１８)に取り付けられ、燃料噴射カム軸の燃料噴射カムで駆動される。燃料噴射カム軸はクランク軸(図示せず)で駆動される。燃料噴射弁(１０)は、シリンダヘッド(１９)に取り付けられている。
【００２２】
図１に示すように、ガス生成用燃料供給通路(１２)は、燃料噴射ポンプ(９)や燃料噴射弁(１０)よりも燃料還流方向下流で、燃料還流通路(１１)から導出されている。
【００２３】
図１に示すように、ガス生成用燃料供給通路(１２)は下突形状部分(１２ａ)を備え、下突形状部分(１２ａ)は、燃料還流通路(１１)から下向きに導出された後、上向きに反転された下突形状とされ、下突形状部分(１２ａ)よりも燃料供給方向下流にガス生成用燃料供給ポンプ(２)が配置されている。
下突形状部分(１２ａ)は、燃料ドレイン装置(１３)を備えている。
ガス生成用燃料供給通路(１２)はガス生成用燃料供給ポンプ(２)の燃料入口(２ａ)に接続されるエア抜き装置(１７)を備えている。
下突形状部分(１２ａ)は、Ｕ字状の下突形状とされている。
燃料ドレイン装置(１３)とエア抜き装置(１７)は、いずれも手動開閉式コックである。
【００２４】
次に、図２に示す第２実施形態について説明する。
図２に示すように、燃料噴射装置は気液分離室(１４)を備え、気液分離室(１４)は、燃料噴射ポンプ(９)や燃料噴射弁(１０)よりも燃料還流方向下流で、燃料還流通路(１１)に設けられ、ガス生成用燃料供給通路(１２)は気液分離室(１４)の液体燃料溜め(１４ａ)から導出されている。
【００２５】
図２に示すように、液体燃料溜め(１４ａ)は燃料ドレイン装置(１３)を備えている。
他の構造は、第１実施形態と同じであり、図２中、第１実施形態と同一の要素には、図１と同一の符号を付しておく。
【００２６】
第２実施形態の気液分離室の変形例は、次の通りである。
図３に示すように、気液分離室(１４)は燃料導入通路(１５)と燃料ガイド通路(１６)と燃料導出通路(３１)を備え、燃料導入通路(１５)は液体燃料溜め(１４ａ)に向けて上り傾斜し、燃料導出通路(３１)は液体燃料溜め(１４ａ)から外側に下り傾斜している。燃料ガイド通路(１６)は通路入口部(１６ａ)と通路中央部(１６ｂ)と通路出口部(１６ｃ)を備えている。
図３に示すように、通路入口部(１６ａ)は燃料導入通路(１５)の中心軸延長線(１５ａ)に沿って液体燃料溜め(１４ａ)から通路中央部(１６ｂ)に向けて上り傾斜し、通路出口部(１６ｃ)は通路中央部(１６ｂ)から液体燃料溜め(１４ａ)に向けて下り傾斜し、ガス生成用燃料供給通路(１２)は通路中央部(１６ｂ)から上向きに導出されている。
【００２７】
図３に示すように、気液分離室(１４)は、燃料導入通路(１５)と燃料導出通路(３１)を介して燃料還流通路(１１)の途中に接続されている。燃料導入通路(１５)は、気液分離室(１４)に収容されたブロック(３２)内に形成されている。寒冷時には、燃料ガイド通路(１６)の通路入口部(１６ａ)と通路出口部(１６ｃ)の傾斜を滑り落ちた液体燃料(５)のワックス成分(５ａ)が液体燃料溜め(１４ａ)に溜まる。
【符号の説明】
【００２８】
(１) 燃料タンク
(２) ガス生成用燃料供給ポンプ
(２ａ) 燃料入口
(３) 可燃性ガス生成器
(４) ＤＰＦ
(５) 液体燃料
(６) 可燃性ガス
(７) エンジン排気
(８) 燃料供給ポンプ
(９) 燃料噴射ポンプ
(９ａ) 燃料噴射管
(１０) 燃料噴射弁
(１１) 燃料還流通路
(１２) ガス生成用燃料供給通路
(１２ａ) 下突形状部分
(１３) 燃料ドレイン装置
(１４) 気液分離室
(１４ａ) 液体燃料溜め
(１５) 燃料導入通路
(１５ａ) 中心軸延長線
(１６) 燃料ガイド通路
(１６ａ) 通路入口部
(１６ｂ) 通路中央部
(１６ｃ) 通路出口部
(１７) エア抜き装置
【図１】
0006505563.tif 000002
【図２】
0006505563.tif 000003
【図３】
0006505563.tif 000004